(57)【要約】      （修正有）【課題】対象物に適切な距離及び角度で投射材を投射し、効率よく表面加工を行うことができるブラスト装置用アタッチメント及びブラスト装置を提供する。【解決手段】対象物に当接する当接部５を有するフレーム６と、フレームに回転可能に軸支され、ブラスト装置のノズルを前記対象物に対して離間した状態で固定的に取付けることができるノズル取付部材７と、ノズル取付部材の角度を任意に調節することができる角度調節機構８とより成る。【選択図】図１
0003204795.tif 000002
【実用新案登録請求の範囲】
【請求項１】
対象物に当接する当接部を有するフレームと、該フレームに回転可能に軸支され、ブラスト装置のノズルを前記対象物に対して離間した状態で固定的に取付けることができるノズル取付部材と、該ノズル取付部材の角度を任意に調節することができる角度調節機構とより成るブラスト装置用アタッチメント。
【請求項２】
前記角度調節機構は、ノズル取付部材の角度を段階的に調節することができるものであることを特徴とする請求項１記載のブラスト装置用アタッチメント。
【請求項３】
前記角度調節機構は、ノズル取付部材の角度を無段階的に調節することができるものであることを特徴とする請求項１記載のブラスト装置用アタッチメント。
【請求項４】
前記当接部は、回転子の外周面であることを特徴とする請求項１乃至請求項３記載のいずれかにブラスト装置用アタッチメント。
【請求項５】
対象物にノズルから粒子を投射し、対象物の表面加工を行うブラスト装置において、前記ノズルにはアタッチメントが設けられ、該アタッチメントは、対象物に当接する当接部を有するフレームと、該フレームに回転可能に軸支され、ブラスト装置のノズルを前記対象物に対して離間した状態で固定的に取付けることができるノズル取付部材と、該ノズル取付部材の角度を任意に調節することができる角度調節機構とより成るブラスト装置。
【請求項６】
前記角度調節機構は、ノズル取付部材の角度を段階的に調節することができるものであることを特徴とする請求項５記載のブラスト装置。
【請求項７】
前記角度調節機構は、ノズル取付部材の角度を無段階的に調節することができるものであることを特徴とする請求項５記載のブラスト装置。
【請求項８】
前記当接部は、回転子の外周面であることを特徴とする請求項５乃至請求項７のいずれかに記載のブラスト装置。
【考案の詳細な説明】
【技術分野】
【０００１】
本考案は、粒子と加圧流体の混合流体を噴射し、対象物に衝突させて、対象物の加工を行うブラスト装置用アタッチメント及びブラスト装置に関する。
【背景技術】
【０００２】
従来、粒子等の投射材を対象物に衝突させ、その表面の加工を行うブラスト装置では、その対象物とブラスト装置のノズルの距離によって、加工状態が異なることから、対象物とノズルの距離を一定に保つためのガイドを有する装置が知られている。
例えば、特許文献１には、「粒子と加圧流体の混合流体を噴射するブラスト装置において、噴射ノズルにガイドバーを備えることを特徴とする粒子ブラスト装置」が開示されている。
【０００３】
また、特許文献２には、ノズル先端にジェットノズル等を設け、対象物までの距離を一定に保つことができるブラスティングデバイスが開示されている。
【０００４】
しかしながら、このようなブラスト装置等では、対象物とノズルの距離を一定に保つことはできるものの、対象物に対してノズルの角度を任意角度に固定することができないため、対象物の加工方法に応じた効率的な投射ができなかったり、対象物に投射される粒子の角度を一定にすることができず、結果的に表面加工にムラ等ができてしまうという欠点があった。
【先行技術文献】
【特許文献】
【０００５】
【特許文献１】特開２０１３−２７９６９号公報
【特許文献２】国際公開第０３／０２２５２５号公報
【考案の概要】
【考案が解決しようとする課題】
【０００６】
本考案は以上のような従来の欠点に鑑み、対象物に適切な距離及び角度で投射材を投射し、効率よく表面加工を行うことができるブラスト装置用アタッチメント及びブラスト装置を提供することを目的としている。
【課題を解決するための手段】
【０００７】
上記目的を達成するために、本考案のブラスト装置用アタッチメントは、対象物に当接する当接部を有するフレームと、該フレームに回転可能に軸支され、ブラスト装置のノズルを前記対象物に対して離間した状態で固定的に取付けることができるノズル取付部材と、該ノズル取付部材の角度を任意に調節することができる角度調節機構とより成ることを特徴とする。
【０００８】
また、本考案のブラスト装置は、対象物にノズルから粒子を投射し、対象物の表面加工を行うブラスト装置において、前記ノズルにはアタッチメントが設けられ、該アタッチメントは、対象物に当接する当接部を有するフレームと、該フレームに回転可能に軸支され、ブラスト装置のノズルを前記対象物に対して離間した状態で固定的に取付けることができるノズル取付部材と、該ノズル取付部材の角度を任意に調節することができる角度調節機構とより成ることを特徴とする。
ここで「対象物」とは、成形加工品や金属製の部品等をいう。
【考案の効果】
【０００９】
以上の説明から明らかなように、本考案にあっては次に列挙する効果が得られる。
（１）請求項１及び請求項３に記載の各考案においては、対象物に対して離間した状態で、固定的に取付けることができるノズル取付部材と、該ノズル取付部材の角度を任意に調節することができる角度調節機構を有しているので、例えば、対象物から所定距離離れた場所に、所定の角度でノズルを取付けることができる。
したがって、対象物に対して所定の距離及び角度を保って粒子等の投射物を投射（ブラスト処理）することができる。
（２）請求項２及び請求項４に記載の各考案においては、前記（１）に記載した効果が得られるとともに、様々な対象物や表面処理に応じた角度に調節することができる。
（３）請求項２及び請求項４に記載の各考案においては、前記（１）に記載した効果が得られるとともに、角度調節を容易に行うことができる。
（４）請求項３及び請求項６に記載の各考案においては、前記（１）乃至（３）に記載した効果が得られるとともに、当接部がローラーで形成されているので、対象物の表面をスムーズに移動しながらブラスト処理することができる。
【図面の簡単な説明】
【００１０】
図１乃至図９は本考案の第１の実施形態を示す説明図である。
図１０乃至図１４は本考案の第２の実施形態示す説明図である。
【図１】ブラスト装置用アタッチメントの正面図。
【図２】ブラスト装置用アタッチメントの平面図。
【図３】ブラスト装置用アタッチメントの側面図。
【図４】図２の４−４線断面図。
【図５】フレームの説明図。
【図６】ノズル取付部材の説明図。
【図７】角度調節機構の説明図。
【図８】ブラスト装置の概略図。
【図９】使用状態の概略説明図。
【図１０】第２の実施形態のブラスト装置用アタッチメントの正面図。
【図１１】フレームの説明図。
【図１２】ノズル取付部材の説明図。
【図１３】角度調節機構の説明図。
【図１４】ブラスト装置の概略図。
【考案を実施するための形態】
【００１１】
以下、図面に示す本考案を実施するための形態により、本考案を詳細に説明する。
なお、本実施の形態において、上下方とは、例えば、正面視（図１）における上下方向、前後方向とは、正面視（図１）における奥手前方向（側面視における左右方向）、左右方向とは、正面視（図１）における左右方向である。
【００１２】
図１ないし図９に示す本考案を実施するための第１の形態において、１は本考案のブラスト装置用アタッチメントで、例えば図９で示すブラスト装置２のパイプ状のノズル３の先端部３ａあるいは先端部付近に取り付けられるものである。
【００１３】
このブラスト装置用アタッチメント１は、図１乃至図４に示すように、対象物４の壁面等に当接する当接部５を有するフレーム６と、該フレーム６に回転可能に軸支され、ブラスト装置２のノズル３を前記対象物４から離間した状態、例えば所定距離離れた状態で取付けることができるノズル取付部材７と、該ノズル取付部材７の角度を所定角度に調節することができる角度調節機構８とで構成されている。
【００１４】
フレーム６は、本実施の形態においては、図５に示すように、正面視略三角形状に形成された、前後一対の側板９と、該前後一対の側板９の下部の両端部をそれぞれ接続するパイプ状の接続部材（連結杆）１０とで構成されている。
【００１５】
前記当接部５は、図１乃至図４に示すように、前記パイプ状の接続部材１０にそれぞれ回転可能に挿入された軸部材１１と、該軸部材１１の突出端部（前後方向の両端部）に設けられた合計４個の回転子（ローラー）１２とで構成されている。
【００１６】
この当接部５は、図９で示すように、ローラー１２によって対象物４の表面４ａに当接するので、対象物４の表面４ａをノズル３の先端部３ａとの距離及び角度を一定に保ったまま移動することができる。
【００１７】
ノズル取付部材７は、例えば図３に示すように、前記側板９の略中央部の上部よりの位置に枢支ピン１３によって回転可能に軸支されている。そして、例えば図６で示すように、該ノズル取付部材７の略中央部に上下方向にノズル係合溝１４が形成された略直方体状のベース部１５と、該ベース部１５に複数のボルト１６によって取り付けられ、かつ前記ノズル係合溝１４に配置されたブラスト装置２のノズル３の先端部３ａを押さえつけることによって固定する矩形状の押さえ板１７とで構成されている。ノズル３の先端部３ａは、前記複数のボルト１６を緩めた状態で前記ノズル係合溝１４に挿入され、その後前記複数のボルト１６を締め付けることにより、押さえ板１７がノズル３の先端部３ａを押圧固定する。
【００１８】
ところで、図６に示すように、ノズル取付部材７のベース部１５には、前記枢支ピン１３が取り付けられる枢支ピン取付孔１３ａが、前記フレーム６の側板９には前記枢支ピン１３が挿入される枢支ピン挿入孔１３ｂが形成されている。ベース部１５に形成された枢支ピン取付孔１３ａは、前記枢支ピン１３が固定状態で挿入されるもので、枢支ピン１３の先端部にネジが形成されている場合には、枢支ピン取付孔１３ａは前記ネジに螺合するネジ孔状に形成される。枢支ピン１３にネジ等が形成されていない場合には、嵌合状態となるような寸法で枢支ピン取付孔１３ａが形成される。
【００１９】
前記角度調節機構８は、図６及び図７に示すように、前記ベース部１５の両側面（側板９側）の前記枢支ピン１３が挿入される枢支ピン挿入孔１３ｂよりも下方位置に設けられたネジ孔１８と、該ネジ孔１８が前記枢支ピン１３を支点として回転移動する軌跡と合致するように、前記前後一対の側板９にそれぞれ形成された円弧状の透孔１９と、該透孔１９を介して前記ネジ孔１８に螺合する角度調節ボルト２０とで構成されている。
なお、前記円弧状の透孔１９は、本実施の形態においては、鉛直下向き方向から４５°回動できるように形成されている。
【００２０】
この角度調節機構８によって、ノズル３の角度を調節する場合には、前記前後の角度調節ボルト２０をそれぞれ緩め、対象物４に適切な角度までノズル取付部材７を回転させ、角度調節ボルト２０を締め付けることによって固定する。本実施の形態においては、角度調節ボルト２０の頭部部分にレバー２０ａを設けており、工具を使用せず、手で角度調節ボルト２０の締めつけを行うことができるように構成している。
【００２１】
また、前記枢支ピン１３に指針部材２１及び目盛２２を設けるとよい。このような構成にすることにより、本実施の形態においては、０°から４５°まで無段階的に角度調節を行うことができる。
【００２２】
本考案のブラスト装置２は、図８に示すように、ポンプやエアーコンプレッサ等の加圧装置２３と、該加圧装置２３に接続され、加圧装置２３により加圧された流体と粒子状の投射材２４を混合する混合装置２５と、該混合装置２５に接続されたノズル３と、該ノズル３の先端部に取り付けられた前記ブラスト装置用アタッチメント１とで構成されている。なお、加圧装置、混合装置及びノズルについては、公知の構成の装置を用いることができる。
【００２３】
本考案のブラスト装置用アタッチメント１を用いたブラスト装置２を使用する場合には、まず、ブラスト装置用アタッチメント１のノズル取付部材７のベース部１５に形成されたノズル係合溝１４に、ブラスト装置２のノズル３を位置させ、押さえ板１７のボルト１６を締め付けることによって押圧固定する。この時、当接部５からノズル３先端部までの距離は対象物４に適した距離になるように、ノズル３を固定する。
【００２４】
次に角度調節機構１０を調節し、その対象物４に適した角度にノズル取付部材７を固定する。
このような状態で、図９に示すように、対象物４の表面にローラー状の当接部５を当接させることにより、対象物４に適切な距離及び角度を保ったまま投射材２４を投射できるので、効率よく対象物４の表面処理を行うことができ、かつ、その表面等を傷つけることを防止することができる。
【００２５】
[考案を実施するための異なる形態]
次に、図１０乃至図１４に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００２６】
図１０乃至図１４に示す本考案を実施するための第２の形態において、前記本考案を実施するための第１の形態と主に異なる点は、脚状に突出する当接部５Ａにするとともに、段階的に角度調節可能な角度調節機構８Ａにした点で、このようなブラスト装置用アタッチメント１Ａ及びブラスト装置２Ａにしても、前記本考案を実施するための第１の形態と同様な作用効果が得られる。
【００２７】
なお、本実施の形態における角度調節機構８Ａは、前記ベース部１５の両側面（側板９側）の前記枢支ピン取付孔１３ａよりも下方位置に設けられたピン用孔２６と、該ピン用孔２６が前記枢支ピン１３を支点として回転移動する軌跡上に、前記フレーム６Ａの前後一対の側板９にそれぞれ、所定角度ごと（本実施の形態においては、１５°毎）に複数個形成された透孔１９Ａと、該透孔１９Ａを介して前記ノズル取付部材７Ａに形成されたピン用孔２６に挿入される角度調節ピン２７とで構成されている。
【００２８】
このような構成の角度調節機構８Ａにすることにより、ノズル取付部材７の角度を段階的に調節することができ、例えば、所定角度ごとではなく、対象物４の材質や表面処理方法毎に前記透孔１９Ａを形成すれば、無段階的に角度調節をするよりも、容易に対象物４の材質や表面処理に適切な角度に調節することができる。
【００２９】
また、本実施の形態においては、脚状に突出する当接部５Ａを用いているので、前記軸部材１１を用いる必要はないため、接続部材１０はパイプ状ではなく中実角棒を用いている。
【産業上の利用可能性】
【００３０】
本考案はブラスト装置を製造する産業等で利用される。
【符号の説明】
【００３１】
１、１Ａ：ブラスト装置用アタッチメント、
２、２Ａ：ブラスト装置、
３：ノズル、                      ４：対象物、
５、５Ａ：当接部、                ６、６Ａ：フレーム、
７、７Ａ：ノズル取付部材、        ８、８Ａ：角度調節機構、
９：側板、                        １０：接続部材、
１１：軸部材、                    １２：ローラー、
１３：枢支ピン、                  １４：ノズル係合溝、
１５：ベース部、                  １６：ボルト、
１７：押さえ板、                  １８：ネジ孔、
１９、１９Ａ：透孔、              ２０：角度調節ボルト、
２１：指針部材、                  ２２：目盛、
２３：加圧装置、                  ２４：投射材、
２５：混合装置、                  ２６：ピン用孔、
２７：角度調節ピン。
【図１】
0003204795.tif 000003
【図２】
0003204795.tif 000004
【図３】
0003204795.tif 000005
【図４】
0003204795.tif 000006
【図５】
0003204795.tif 000007
【図６】
0003204795.tif 000008
【図７】
0003204795.tif 000009
【図８】
0003204795.tif 000010
【図９】
0003204795.tif 000011
【図１０】
0003204795.tif 000012
【図１１】
0003204795.tif 000013
【図１２】
0003204795.tif 000014
【図１３】
0003204795.tif 000015
【図１４】
0003204795.tif 000016